(57)【要約】【課題】缶に前記袋又は、カード、ＰＯＰ、冊子などの印刷物を容易に取り付けることができるとともに、取り付けた後はこれらの袋や印刷物が容易に抜け外れる虞がなく、また缶に取り付ける袋や印刷物の選択幅が広く、しかも製造コストを低く抑えることのできる缶用ホルダー及びそのホルダーにより袋又は印刷物が添設された缶を提供する。【解決手段】缶Ｃの上端縁部Ｒを挟持する缶挟持部２と、該缶挟持部２に連設され、袋（又は印刷物）Ｐの上端部Ｐ１を掴持する袋掴持部３とを備え、該袋掴持部３に、袋Ｐの上端部Ｐ１が挿入されると弾性変形してその挿入を許容する一方、袋Ｐの上端部Ｐ１が挿入された後は当該上端部Ｐ１と弾性的に歯合する係止片３１を設けた。【選択図】  図５
2009120215.tif 000002
【特許請求の範囲】
【請求項１】
缶に、撮み又は付属品を収容した袋又は、カード、ＰＯＰ、冊子などの印刷物を当該缶の側壁面に沿って添設する缶用ホルダーであって、
前記缶の上端縁部又は下端縁部を挟持する缶挟持部と、
この缶挟持部に連設され、前記袋又は前記印刷物の上端部又は下端部を掴持する袋掴持部とを備え、
該袋掴持部に、前記袋又は前記印刷物の上端部又は下端部が挿入されると弾性変形してその挿入を許容する一方、この上端部又は下端部が挿入された後は当該上端部又は下端部と斜め下方又は上方から弾性的に歯合する係止片が設けられた缶用ホルダー。
【請求項２】
請求項１に記載の缶用ホルダーにおいて、
前記袋掴持部には、前記係止片よりも下方又は上方であって当該係止片が設けられた側とは反対側に、袋又は印刷物の、該係止片と歯合した箇所の下側部位又は上側部位を、当該係止片側に押しやる前記袋又は前記印刷物の押圧部が設けられた缶用ホルダー。
【請求項３】
請求項１又は２に記載の缶用ホルダーにおいて、
前記缶挟持部には、前記缶の上端縁部における外周側下縁と係合する係合部が設けられた缶用ホルダー。
【請求項４】
請求項１又は２に記載の缶用ホルダーにおいて、
前記缶挟持部には、前記缶の下端縁部における外周側上縁と係合する係合部が設けられた缶用ホルダー。
【請求項５】
請求項１ないし４のいずれか１項に記載の缶用ホルダーにより、撮み又は付属品を収容した袋又は、カード、ＰＯＰ、冊子などの印刷物が添設された缶。
【発明の詳細な説明】
【技術分野】
【０００１】
本発明は、ビールや焼酎などのアルコール飲料を収容した飲料用の缶に撮みを収容した袋を結合させたり、ジュースやお茶などの清涼飲料を収容した飲料用の缶に、例えばミニチュアのマスコット人形や携帯ストラップといった販売促進用の景品を収容した袋を結合させたり、また、多量のビールやワイン或いは食用油などの液体を収容した容量の大きな缶にその液体注出に使用される注出用器具を収容した袋を結合させたり、或いはこれらの缶にカード、ＰＯＰ、冊子などの印刷物を取り付けるのに好適な缶用ホルダー、及び、そのホルダーにより袋又は印刷物が添設された缶に関する。
【背景技術】
【０００２】
ビールや焼酎などのアルコール飲料には撮みを付けたり、商品説明やおまけなどのために、カード、ＰＯＰ、冊子などの印刷物を付けたりすることが多々有るのであり、これらが一体化された状態で販売されていると消費者にとって便利であり、一方販売者にとっても売上の促進につながり都合がよい。
【０００３】
そこで、これまでアルコール飲料の缶に撮みを一体化させるための提案が数多くされているが、そのほとんどは、缶の上部又は下部に連結できる容器を製作し、この容器に撮みを収容するといったものであった。
【０００４】
しかし、実際には、撮みを収容するそれ専用の容器が必要であるため、その分包装資材のコストが嵩むだけでなく、多量生産に不向きであり、また撮みの防湿性を保証しうるものでもなかった。
【０００５】
このような問題点を解決するものとして、撮みを密封した袋をフック又はハンガーを介して缶の巻締縁部や頸部に係着できるようにした撮み付酒類容器なるものが提案されている（例えば、特許文献１参照）。
【０００６】
また、それ以外にも、プラスチック等の可撓性材料からなる固定バンドに押さえ片を設けておき、この固定バンドを缶の胴部に嵌めて押さえ片と缶の胴部との間に撮みの袋を挟持するようにした缶取り付け型クリップなるものも提案されている（例えば、特許文献２参照）。
【０００７】
更に、多量のビールやワイン或いは食用油などの液体を収容した容量の大きな缶では、その缶から液体を注出するための専用ノズルなどの注出用器具が添付される場合があるが、この場合に適したものとして、注出用器具を封入した袋をハンガーに接着しておき、このハンガーを缶の巻締縁部に引っ掛けて袋を缶に吊り下げるようにしたものが提案されている（例えば、特許文献３参照）。
【０００８】
これによれば、１つの缶に対して１つの注出用器具を容易に且つ確実に付けることができるので、注出用器具の紛失がなく、液体の注出時に注出用器具を探し回るといったことがないので便利である。
【特許文献１】実開昭６１−４０３３３号公報
【特許文献２】特開２００１−１５１２４０号公報
【特許文献３】実開昭５６−１２５８３３号公報
【発明の開示】
【発明が解決しようとする課題】
【０００９】
しかしながら、特許文献１に所載の撮み付酒類容器にあっては、撮みの袋を缶に付ける際、袋の接着辺をフック又はハンガーの二股部において単に挟みつけるだけであるため、袋の接着辺が二股部で強固に挟持された状態とはならない。このため、袋に僅かな外力が加わっただけでも袋が二股部から簡単に抜け外れてしまうといった問題があった。
【００１０】
また、袋の接着辺の厚み寸法が二股部の間隙に比べて小さすぎても大きすぎても二股部で接着辺を挟むことができないことから、二股部の間隙に適した厚みの接着辺を有する袋しか缶に付けることができず、このため袋の選択幅が著しく狭く、取り扱い難いといった問題もある。
【００１１】
この点、特許文献２に所載の缶取り付け型クリップにあっては、押さえ片の内面に凹凸状の爪を設け、この押さえ片と缶の胴部との間で撮みの袋を挟むようにしているため、前記の問題はある程度解消されている。しかしながら、ビールや缶チューハイのように、冷やして供されるアルコール飲料の缶では、当然、その表面に多量の結露が生じるため、缶の胴部と袋との間に結露水が膜となって介在することから、この水膜によって缶の胴部と袋との間の摩擦力が失われ、たとえ押さえ片の内面に凹凸状の爪が設けられていても、袋に僅かな外力が加わっただけで袋が簡単に抜け外れてしまうといった問題があった。
【００１２】
また、特許文献３に所載のものにあっては、袋とハンガーとが接着されて一体化されているため、袋の抜け外れの虞はまったくないものの、袋とハンガーとを一つ一つ接着する必要があることから、製造が煩瑣であるとともに製造コストが嵩むといった問題があった。
【００１３】
ところで、ペットボトルに入った清涼飲料水では、例えばミニチュアのマスコット人形や携帯ストラップといった販売促進用の景品を、ペットボトルの頸部が通される通孔を有する袋に入れて、キャンペーン期間中ボトルの頸部に添付することがよく行われている。その一方で、缶容器に入った清涼飲料水では、缶に袋又は、カード、ＰＯＰ、冊子などの印刷物を添付することのできる実用的な用具が市場に見られないことから、前記したようなペットボトルの場合に行われている販売戦略をこれまで採ることができなかった。
【００１４】
本発明は、前記従来の問題点に鑑み創案されたものであり、缶に前記袋又は、カード、ＰＯＰ、冊子などの印刷物を容易に取り付けることができるとともに、取り付けた後はこれらの袋や印刷物が容易に抜け外れる虞がなく、また缶に取り付ける袋や印刷物の選択幅が広く、しかも製造コストを低く抑えることのできる缶用ホルダー及びそのホルダーにより袋又は印刷物が添設された缶を提供することを目的とするものである。
【課題を解決するための手段】
【００１５】
前記の目的を達成するため、本発明に係る缶用ホルダーは、以下に述べる技術的手段を講じたものである。
【００１６】
すなわち、缶に、撮み又は付属品を収容した袋又は、カード、ＰＯＰ、冊子などの印刷物を当該缶の側壁面に沿って添設する缶用ホルダーであって、前記缶の上端縁部又は下端縁部を挟持する缶挟持部と、この缶挟持部に連設され、前記袋又は前記印刷物の上端部又は下端部を掴持する袋掴持部とを備え、該袋掴持部に、前記袋又は前記印刷物の上端部又は下端部が挿入されると弾性変形してその挿入を許容する一方、この上端部又は下端部が挿入された後は当該上端部又は下端部と斜め下方又は上方から弾性的に歯合する係止片が設けられたものである。
【００１７】
この缶用ホルダーとしては、弾性を有する材料であればよく、合成樹脂又は金属のいずれであってもよい。
【００１８】
これを用いて缶に袋又は印刷物を添設するには、まず缶用ホルダーの缶挟持部で缶の上端縁部又は下端縁部を挟持し、次いで袋又は印刷物の上端部又は下端部を袋掴持部に挿入する。このとき、袋掴持部に設けられた係止片が袋又は印刷物の上端部又は下端部に押されて弾性変形し、袋掴持部内に上端部又は下端部が挿入される。袋掴持部内で袋又は印刷物の上端部又は下端部の進行が停止すると、係止片が自己の弾性力により元の状態に戻ろうとし、袋又は印刷物の上端部又は下端部と斜め下方又は上方から弾性的に歯合する。これにより、袋又は印刷物に少々の外力が加わっても係止片が抵抗となるため、袋又は印刷物の上端部又は下端部が袋掴持部から容易には抜け外れない。
【００１９】
また、この缶用ホルダーは、袋掴持部を備えこの袋掴持部に係止片を設けているため、袋掴持部の大きさ及び係止片の弾性変形量をそれぞれ大きくとれば、上端部及び下端部が厚い袋や印刷物でも袋掴持部に挿入することができる。また上端部及び下端部が薄ければ複数個の袋又は印刷物をまとめて袋掴持部に挿入することもできるのである。
【００２０】
前記の缶用ホルダーにおいては、袋掴持部に、係止片よりも下方又は上方であって係止片が設けられた側とは反対側に位置して、袋又は印刷物の、係止片と歯合した箇所の下側部位又は上側部位を、係止片側に押しやる袋押圧部が設けられていてもよいのである。
【００２１】
この場合、袋又は印刷物の、係止片と歯合した箇所の下側部位又は上側部位が、袋押圧部により係止片側に押しやられることにより、袋又は印刷物の上端部又は下端部と係止片との歯合状態が、袋押圧部がない場合に比べて強められることになる。この結果、袋又は印刷物の上端部又は下端部が袋掴持部からより一層抜け外れ難くなる。
【００２２】
また、前記の缶用ホルダーにおいては、缶挟持部に、前記缶の上端縁部における外周側下縁又は下端縁部における外周側上縁と係合する係合部が設けられていてもよいのである。
【００２３】
この場合、缶挟持部で缶の上端縁部又は下端縁部を挟持したとき、係合部が上端縁部における外周側下縁又は下端縁部における外周側上縁と係合するため、缶挟持部が上端縁部又は下端縁部からより外れ難くなるのである。
【００２４】
本発明は前記本発明の缶用ホルダーだけでなく、この缶用ホルダーにより、撮み又は付属品を収容した袋又は、カード、ＰＯＰ、冊子などの印刷物が添設された缶も含むものである。
【発明の効果】
【００２５】
本発明に係る缶用ホルダーにおいては、缶に袋又は印刷物を容易に取り付けることができるとともに、取り付けた後は袋又は印刷物が容易に抜け外れる虞がなく、また缶に取り付ける袋又は印刷物の選択幅が広くなり、しかも製造コストを低く抑えることのできる缶用ホルダー及びそのホルダーにより袋又は印刷物が添設された缶が得られるなどの効果を奏するのである。
【００２６】
又、本発明に係る缶用ホルダーにより袋又は印刷物が添設された缶においてはその取り扱い中に不用意に当該袋又は印刷物が脱落したり、自動販売機などで缶を購入した際、当該缶が落下したときに、袋又は印刷物が脱落することがなくなるのであり、その結果、袋又は印刷物が付いた缶の取扱性が著しく向上する上、缶の取扱者や購入者に不快感を与えることが無いのである。
【発明を実施するための最良の形態】
【００２７】
以下、本発明の実施の形態について、図面に基づいて詳細に説明する。
【００２８】
図１は本発明に係る缶用ホルダーを、その上下を逆にして示す斜視図、図２は図１に示す缶用ホルダーを他の方向から見た斜視図、図３は缶用ホルダーの他の実施形態を示す図１相当図、図４は缶用ホルダーを缶に装着した状態を示す部分斜視図、図５は缶用ホルダーにより缶に袋を添設した状態を示す斜視図、図６は図５に示す状態における要部断面図、図７は缶用ホルダーのさらに他の実施形態を示す図６相当図である。
【００２９】
この缶用ホルダー１は、缶Ｃに、撮み又は付属品を収容した袋（又は印刷物）Ｐ（以下、袋について説明する。）を缶Ｃの側壁面に沿って添設するものであって、上面板１０と、この上面板の一側縁から垂設された内片１１と、前記上面板１０の他側縁から垂設された外片１３と、これら内片１１と外片１３との間に上面板１０から垂設された中央片１２とからなっている。そして、内片１１、中央片１２、及びこれらの間の上面板１０の一部により缶挟持部２が、また外片１３、中央片１２、及びこれらの間の上面板１０の一部により袋掴持部３がそれぞれ構成されて缶挟持部２と袋掴持部３とが連設されてなる。
【００３０】
このように形成されてなる缶用ホルダー１は、弾性を有する材料であればよく、合成樹脂又は金属のいずれであってもよい。
【００３１】
前記缶挟持部２は、前記缶Ｃの上端縁部Ｒを挟持するものである。本実施形態では、内片１１が上端縁部Ｒの内周側と圧接し、中央片１２が缶Ｃの上端部Ｓと圧接し得るよう、内片１１及び中央片１２ともそれぞれその長さが調整され、且つ内片１１と中央片１２との間隔が調整されている。
【００３２】
また、図３及び図６に示すように、缶挟持部２には、缶Ｃの上端縁部Ｒの外周側下縁Ｒ１と係合する係合部２１が設けられていてもよい。
【００３３】
この場合、缶挟持部２で缶Ｃの上端縁部Ｒを挟持したとき、係合部２１が上端縁部Ｒの外周側下縁Ｒ１と係合するため、缶用ホルダー１が缶Ｃからより一層外れ難くなるのである。
【００３４】
前記袋掴持部３は、袋Ｐの上端部Ｐ１を掴持するものである。この袋掴持部３には、袋Ｐの上端部Ｐ１が缶Ｃの下端側或いは側方から挿入されると弾性変形して上端部Ｐ１の挿入を許容する一方、袋Ｐの上端部Ｐ１が挿入された後は当該上端部Ｐ１と斜め下方から弾性的に歯合する係止片３１が設けられている。
【００３５】
前記係止片３１は、外片１３の下端部を中央片１２に向かって鉤状に形成するとともに、その先端を尖鋭化することにより形成されている。
【００３６】
また、袋掴持部３には、これを構成する中央片１２の下端部に袋押圧部３２が設けられている。この袋押圧部３２は、係止片３１よりも下方であって当該係止片３１が設けられた外片１３とは反対側に位置し、袋Ｐの、係止片３１と歯合した箇所の下側部位Ｐ２を、係止片３１側に押しやるものである。なお、この袋押圧部３２は必ずしも設ける必要はない。
【００３７】
以上説明した缶用ホルダー１を用いて缶Ｃに袋Ｐを添設するには、まず缶挟持部２で缶Ｃの上端縁部Ｒを挟持する。次いで、例えば、袋Ｐの上端部Ｐ１を袋掴持部３の下方、つまり缶Ｃの下端側から差し入れる。このとき、袋掴持部３に設けられた係止片３１が袋Ｐの上端部Ｐ１に押されて弾性変形し、袋掴持部３内に前記上端部Ｐ１が挿入される。袋掴持部３内で袋Ｐの上端部Ｐ１の進行が停止すると、係止片３１が弾性力により元の状態に戻ろうとし、袋Ｐの上端部Ｐ１と斜め下方から弾性的に歯合する。これにより、袋Ｐに少々の外力が加わっても係止片３１が抵抗となるため、袋Ｐの上端部Ｐ１が袋掴持部３から容易には抜け外れないのである。また、前記したように係止片３１の先端が尖鋭であるので、上端部Ｐ１との歯合はより一層確実なものとなっている。
【００３８】
また、前記袋掴持部３に袋押圧部３２が設けられている場合には、図６に示すように、袋Ｐの、係止片３１と歯合した箇所の下側部位Ｐ２が、袋押圧部３２により係止片３１側に押しやられることにより、袋Ｐの上端部Ｐ１と係止片３１との歯合状態が、袋押圧部３２がない場合に比べて一層強められることになる。この結果、袋Ｐの上端部Ｐ１が袋掴持部３からより一層抜け外れ難くなるのである。
【００３９】
なお、前記の実施形態においては、係止片３１を外片１３側に、袋押圧部３２を中央片１２側にそれぞれ設けたが、これを逆にして、図７に示すように、係止片３１を中央片１２側に、袋押圧部３２を外片１３側にそれぞれ設けてもよい。この場合、袋Ｐの上部が袋押圧部３２と缶Ｃの側壁面とで挟まれる形となるため、袋Ｐが袋掴持部３からより一層抜け外れ難くなるのである。
【００４０】
また、前記の実施形態では、図５に示すように、飲料用の缶に撮みを収容した袋を添設する場合を例に採って説明したが、袋に、例えばミニチュアのマスコット人形や携帯ストラップといった販売促進用の景品が収容されていてもよいのである。
【００４１】
また、缶が、多量のビールやワイン或いは食用油などの液体を収容する容量の大きな缶であって、その缶から液体を注出するための専用ノズルなどの注出用器具が添付される場合は、袋に注出用器具を収容し、その袋を本発明の缶用ホルダーで缶に添設すればよい。これにより、１つの缶に対して１つの注出用器具を容易に且つ確実に付けることができるので、注出用器具の紛失がなく、液体の注出時に注出用器具を探し回るといったことがないので便利である。
【００４２】
さらに、前記の実施形態では、缶用ホルダー１を缶Ｃの上端縁部Ｒに装着しているが、缶用ホルダー１の向きを前記の実施形態とは上下逆にして缶Ｃの下端縁部ＲＢに装着してもよい。その場合、袋Ｐはその下端部Ｐ３が袋掴持部３に上方から挿入されることになる。
【図面の簡単な説明】
【００４３】
【図１】図１は、本発明に係る缶用ホルダーを、その上下を逆にして示す斜視図である。
【図２】図２は、図１に示す缶用ホルダーを他の方向から見た斜視図である。
【図３】図３は、缶用ホルダーの他の実施形態を示す図１相当図である。
【図４】図４は、缶用ホルダーを缶に装着した状態を示す部分斜視図である。
【図５】図５は、缶用ホルダーにより缶に袋を添設した状態を示す斜視図である。
【図６】図６は、図５に示す状態における要部断面図である。
【図７】図７は、缶用ホルダーのさらに他の実施形態を示す図６相当図である。
【符号の説明】
【００４４】
１    缶用ホルダー
２    缶挟持部
２１  係合部
３    袋掴持部
３１  係止片
Ｃ    缶
Ｒ    上端縁部
ＲＢ  下端縁部
Ｐ    袋（又は印刷物）
Ｐ１  上端部
【図１】
2009120215.tif 000003
【図２】
2009120215.tif 000004
【図３】
2009120215.tif 000005
【図４】
2009120215.tif 000006
【図５】
2009120215.tif 000007
【図６】
2009120215.tif 000008
【図７】
2009120215.tif 000009